(57)【特許請求の範囲】
【請求項１】
任意の入力に基づく任意画像を所定の印刷指示により印刷対象物に印刷する印刷装置であって、
前記印刷指示を行うための印刷指示手段と、
前記印刷指示があった場合、前記任意画像を印刷するとともに、任意指示不可能な所定条件が成立したときに、任意印刷不可能な不如意画像を前記任意画像とともに印刷する印刷手段と、を備え、
前記不如意画像には、前記任意画像の情報を暗号化した暗号化コードを表現した画像が含まれることを特徴とする印刷装置。
【請求項２】
任意の入力に基づく任意画像を所定の印刷指示により印刷対象物に印刷する印刷装置であって、
前記印刷対象物として所定量の印刷対象物を装着する装着手段と、
前記印刷指示を行うための印刷指示手段と、
前記印刷指示があった場合、前記任意画像を印刷するとともに、任意指示不可能な所定条件が成立したときに、任意印刷不可能な不如意画像を前記任意画像とともに印刷する印刷手段と、を備え、
前記所定条件には、前記任意画像の印刷のときの前記印刷対象物の消費量が特定値を越えるという条件が含まれることを特徴とする印刷装置。
【発明の詳細な説明】
【０００１】
【発明の属する技術分野】
本発明は、印刷装置に関するものである。
【０００２】
【従来の技術】
一般的な印刷装置は、例えば任意の文字列の画像などの所望の任意画像を、任意に印刷することを目的とする。すなわち、思い通りの画像を思い通りに印刷することを目的とする。
【０００３】
【発明が解決しようとする課題】
しかし、例えば定型的な文字列の入力・編集・印刷等では、飽きてしまうことも多い。ときには、編集等のミスにより思わぬ印刷結果が出ることもあるが、これらも、その印刷装置やその印刷装置上で稼働するワープロソフト等に習熟すれば少なくなる。また、種々の機能を試して楽しめるのも、初心者のうちだけである。
【０００４】
一方、例えばくじや占いの結果を出すことを目的とする装置であれば、ゲーム等に使用できるが、これらも、例えば「大吉」、「小吉」、……などの所定の範囲での結果の中から、何らかの結果が確実に出るものであり、意外性も少なく、しばらくすれば飽きてしまう。また、このような目的のみの装置を個人レベルで購入する気にもなれない。また、くじや占い等ができる機能を上述した印刷装置に付加したとしても、それを使用するときには、それらの結果を出す目的で使用するので、意外性も少なく、そのため、ユーザ間で話題となることも少ない。
【０００５】
【発明が解決しようとする課題】
そこで、本発明は、個人レベルで行う印刷に、娯楽性とそれによる話題性を付加できる印刷装置を提供することを目的とする。
【０００６】
【課題を解決するための手段】
本発明の印刷装置は、任意の入力に基づく任意画像を所定の印刷指示により印刷対象物に印刷する印刷装置であって、前記印刷指示を行うための印刷指示手段と、前記印刷指示があった場合、前記任意画像を印刷するとともに、任意指示不可能な所定条件が成立したときに、任意印刷不可能な不如意画像を前記任意画像とともに印刷する印刷手段と、を備え、前記不如意画像には、前記任意画像の情報を暗号化した暗号化コードを表現した画像が含まれることを特徴とする。
【０００８】
この印刷装置は、基本的には、任意の入力に基づく任意画像を所定の印刷指示により印刷対象物に印刷するが、所定の印刷指示があった場合、任意画像を印刷するとともに、任意指示不可能な所定条件が成立したときに、任意印刷不可能な不如意画像を任意画像とともに印刷する。すなわち、所定の印刷指示があり、かつ、所定条件が成立したときに、任意画像とともに、任意印刷不可能な不如意画像を印刷する。なお、ここで、「任意画像とともに」とは、所定の印刷指示に対して、任意画像と同時に、あるいは印刷指示後でかつ任意画像印刷前または任意画像印刷後に、の意である。また、ここで、「不如意画像」とは、無作為に（偶発的に）あるいは不確実に印刷される画像であり、ユーザが印刷の可能性さえ知らない画像、またはその可能性は知っていても実際に印刷されるか否か不確実な画像であり、すなわち、ユーザの思い通りには印刷できない画像である。このことから、任意印刷が不可能であり、また、任意印刷の代わりに、印刷のための所定条件を任意に指示して成立させることも不可能な画像である。
【０００９】
そして、この場合、不如意画像が印刷されるか否かに拘わらず、当初の印刷目的である任意画像は、予定通り印刷される。このため、ユーザは、所定の印刷指示により所望の任意画像を印刷できるとともに、不如意画像が印刷されたときには、そのような印刷の可能性を知らなければもちろんのこと、知っていても予測できないので、意外な印刷結果に驚くことになり、また、可能性を知っていれば楽しみの一つとなり、また、印刷されること自体が意外なので、話題とも成りやすい。したがって、この印刷装置では、個人レベルで行う印刷に、娯楽性とそれによる話題性を付加することができる。
【００１５】
しかも、不如意画像には、任意画像の情報を暗号化した暗号化コードを表現した画像が含まれるので、任意画像として作成が困難または不可能な不如意画像となり、これにより、任意印刷不可能な不如意画像となる。
【００２６】
また、本発明の印刷装置は、任意の入力に基づく任意画像を所定の印刷指示により印刷対象物に印刷する印刷装置であって、前記印刷対象物として所定量の印刷対象物を装着する装着手段と、前記印刷指示を行うための印刷指示手段と、前記印刷指示があった場合、前記任意画像を印刷するとともに、任意指示不可能な所定条件が成立したときに、任意印刷不可能な不如意画像を前記任意画像とともに印刷する印刷手段と、を備え、前記所定条件には、前記任意画像の印刷のときの前記印刷対象物の消費量が特定値を越えるという条件が含まれることを特徴とする。
【００２７】
この印刷装置では、上記の印刷装置と同様に、個人レベルで行う印刷に、娯楽性とそれによる話題性を付加することができる。しかも、印刷対象物として所定量の印刷対象物を装着し、所定条件には、任意画像の印刷に伴う印刷対象物の消費量が特定値を越えるという条件が含まれる。消費量に関する条件を所定条件に含めることにより、所定条件の成立確率を増減させることが可能になり、娯楽性や話題性を操作し易くなり、ひいては、印刷対象物の販売促進等を図ることも可能になる。
【００３７】
【発明の実施の形態】
以下、本発明の一実施形態に係るテープ印刷装置について、添付図面を参照しながら詳細に説明する。
【００３８】
図１および図２は、本実施形態におけるテープ印刷装置の全体および開閉蓋を開けたときの外観構成を示し、図３は、その制御系のブロック図である。図１および図２に示すように、このテープ印刷装置１は、上下２分割の装置ケース２により外殻が形成され、装置ケース２の前部上面には各種入力キーから成るキーボード３を備え、後部上面には開閉蓋２１が取り付けられ、その右部の窓に臨むようにディスプレイ４が配設されている。
【００３９】
また、図３に示すように、基本的な構成として、キーボード３やディスプレイ４を有してユーザとのインタフェースを行う操作部１１、印刷ヘッド（サーマルヘッド）７やテープ送り部１２０を有してポケット６内に装着したテープカートリッジＣの印刷用テープ（以下単に「テープ」）Ｔに印刷を行う印刷部１２、印刷後のテープＴの切断を行う切断部１３、各種センサを有して各種検出を行う検出部１４、各種ドライバを有して各部回路を駆動する駆動部２７０、および、テープ印刷装置１内の各部を制御する制御部２００を備えている。このため、装置ケース２の内部には、印刷部１２、切断部１３、検出部１４などの他、図外の回路基板が収納されている。この回路基板には、電源ユニットの他、駆動部２７０や制御部２００の各回路などが搭載され、図外のＡＣアダプタ接続口や外部から着脱可能なニッカド電池等の電池に接続されている。
【００４０】
テープ印刷装置１では、ユーザが、ポケット６にテープカートリッジＣを装着した後、ディスプレイ４により入力・編集結果を確認しながらキーボード３により所望の文字など（文字、数字、記号、簡易図形等のキャラクタ）の印刷情報を入力して、印刷を指示すると、テープ送り部１２０によりテープカートリッジＣからテープＴを繰り出して、印刷ヘッド７によりテープＴに所望の印刷を行い、印刷済み部分はテープ排出口２２から随時外部に送り出される。所望の印刷が完了すると、テープ送り部１２０は、余白分を含むテープ長さの位置までテープＴの送りを行った後、その送りを停止する。
【００４１】
図２および図３に示すように、印刷部１２には、開閉蓋２１の内側に、テープカートリッジＣを装着するためのポケット６が設けられていて、テープカートリッジＣは、この開閉蓋２１を開放した状態でポケット６に対して着脱される。テープカートリッジＣには、カートリッジケース５１の内部に一定の幅（４．５ｍｍ〜４８ｍｍ程度）のテープＴとインクリボンＲとが収容されており、また、ポケット６に配設されたヘッドユニット６１に差し込むための貫通孔５５が形成されている。また、相異なる幅等のテープＴの種別を識別できるように、裏面に小さな複数の孔が設けられ、ポケット６には、この孔の有無を検出するマイクロスイッチ等を含むテープ識別センサ１４２が設けられていて、これにより、テープＴの種別を検出できるようになっている。
【００４２】
テープＴは、裏面に接着面が形成され、それが剥離紙によって覆われた構成になっている。テープＴとインクリボンＲは、貫通孔５５の位置で相互に重なり合った状態で走行するとともに、テープＴのみが外部に排出され、インクリボンＲは内部で巻き取られるようになっている。
【００４３】
ヘッドユニット６１には、サーマルヘッドから成る印刷ヘッド７が内蔵されており、テープカートリッジＣがポケット６に装着された状態で、印刷ヘッド７が、テープカートリッジＣの貫通孔５５から露出しているインクリボンＲの裏面に当たるようになっている。そして、印刷ヘッド７を発熱駆動することにより、所望の文字などがテープＴの表面に印刷される。また、ポケット６には、環境（周囲）温度を検出して報告するサーミスタなどの周囲温度センサ１４３が設けられていて、周囲温度を検出して制御部２００に報告する。また、装置ケース２の左側部には、ポケット６と装置外部とを連通するテープ排出口２２が形成され、テープ排出口２２には、送りだしたテープＴを切断するテープカッタ１３２が臨んでいる。また、ポケット６には、装着されたテープカートリッジ４の被駆動部が係合する駆動軸６２、６３などが設けられており、送りモータ１２１を駆動源として、これらの駆動軸６２、６３により、テープカートリッジＣ内のテープＴおよびインクリボンＲの送りが行われ、かつこれらに同期して印刷ヘッド７を駆動することで、印刷が行われる。また、印刷完了後、テープＴの送りが続行され所定の切断位置がテープカッタ１３２の位置まで送られる。
【００４４】
なお、印刷ヘッド７の表面に密着してサーミスタなどのヘッド表面温度センサ１４４が設けられていて、印刷ヘッド７の表面温度を検出して制御部２００に報告する。また、送りモータ１２１の先端には図外の検出開口が形成された円盤が固着され、その検出開口に臨むようにフォトセンサ等を有する回転速度センサ１４１が設けられていて、送りモータ１２１の回転速度を検出して制御部２００に報告する。
【００４５】
切断部１３は、テープカッタ１３２と、任意長印刷などの場合に手動によりテープカッタ１３２を切断動作させるカットボタン１３３と、定長印刷などの場合に自動的にテープカッタ１３２を切断動作させるカッタモータ１３１と、を備えている。また、これにより、テープ印刷装置１では、モード設定によって、自動／手動を切り替えられるようにしている。このため、手動カットの場合、印刷が完了した時点で、ユーザが、装置ケース２に配設されたカットボタン１３３を押すことで、テープカッタ１３２が作動しテープＴが所望の長さに切断される。また、自動カットの場合、印刷が終了して余白分だけテープ送りされ、それが停止すると同時に、カッタモータ１３１が駆動され、テープＴの切断が行われる。
【００４６】
検出部１４は、前述の回転速度センサ１４１、テープ識別センサ１４２、周囲温度センサ１４３、ヘッド表面温度センサ１４４を備えている。なお、実状に合わせて、これらを省略した構成とすることもできる。
【００４７】
駆動部２７０は、ディスプレイドライバ２７１と、ヘッドドライバ２７２と、モータドライバ２７３とを備えている。ディスプレイドライバ２７１は、制御部２００から出力される制御信号に基づき、その指示に従って、操作部１１のディスプレイ４を駆動する。同様に、ヘッドドライバ２７２は、制御部２００の指示に従って、印刷部１２の印刷ヘッド７を駆動する。また、モータドライバ２７３は、印刷部１２の送りモータ１２１を駆動する送りモータドライバ２７３ｄと、切断部１３のカッタモータ１３１を駆動するカッタモータドライバ２７３ｃとを有し、同様に、制御部２００の指示に従って、各モータを駆動する。
【００４８】
操作部１１は、キーボード３とディスプレイ４とを備えている。ディスプレイ４は、横方向（Ｘ方向）約６cm×縦方向（Ｙ方向）４cmの長方形の形状の内側に、９６ドット×６４ドットの表示画像データを表示可能な表示画面４１を有し、ユーザがキーボード３からデータや各種指令・指示等を入力して、キャラクタ列画像データ（後述のテキスト印刷データ）などの印刷画像データを作成・編集したり、その結果等を視認したりする際などに用いられる。
【００４９】
キーボード３には、アルファベットキー群、記号キー群、数字キー群、平仮名や片仮名等の仮名キー群、および外字を呼び出して選択するための外字キー群等を含む文字キー群３１の他、各種の動作モードなどを指定するための機能キー群３２などが配列されている。
【００５０】
機能キー群３２には、図外の電源キー３２１、印刷動作を指示するための印刷キー３２２、テキスト入力時のデータ確定や改行および選択画面における各種モードの選択指示のための選択キー３２３、網掛け、アンダーライン、囲み等のいわゆる文字装飾や背景模様（地模様やイラスト等を含む）などの装飾を設定するための装飾設定キー３２４、文字色、背景色、装飾色などの色彩（濃淡、彩度、色艶、透明度等を含む）を設定するための色彩設定キー３２５、並びに、それぞれ上（「↑」）、下（「↓」）、左（「←」）、右（「→」）方向へのカーソル移動や表示画面４１の表示範囲を移動させるための４個のカーソルキー３３０（３３０Ｕ、３３０Ｄ、３３０Ｌ、３３０Ｒ：「カーソル「↑」キー３３０Ｕ」など）が含まれる。
【００５１】
機能キー群３２には、さらに、各種指示を取り消すための取消キー３２６、各キーの役割を変更したり、描画登録画像データの修正等に用いられるシフトキー３２７、テキスト入力画面や選択画面と印刷画像データの表示画面（イメージ画面）とを相互に切り換えるためのイメージキー３２８、印刷画像データとイメージ画面に表示する表示画像データとの大きさの比率を変更するための比率変更（ズーム）キー３２９、文字の書体を含む各種フォームを設定するためのフォームキー３３１などが含まれる。
【００５２】
なお、当然ながら、一般的なキーボードと同様に、これらのキー入力は、各キー入力毎に個別にキーを設けて入力しても良いし、シフトキー３２７等と組み合わせてより少ない数のキーを用いて入力しても良い。ここでは、理解を容易にするために上記の分だけキーがあるものとする。図３に示すように、キーボード３は、上述のような種々の指令およびデータを制御部２００に入力する。
【００５３】
制御部２００は、ＣＰＵ２１０、ＲＯＭ２２０、キャラクタジェネレータＲＯＭ（ＣＧ−ＲＯＭ）２３０、ＲＡＭ２４０、周辺制御回路（Ｐ−ＣＯＮ）２５０を備え、互いに内部バス２６０により接続されている。ＲＯＭ２２０は、ＣＰＵ２１０で処理する制御プログラムを記憶する制御プログラム領域２２１の他、色変換テーブルや文字修飾テーブルなどを含む制御データを記憶する制御データ領域２２２を有している。ＣＧ−ＲＯＭ２３０は、テープ印刷装置１に用意されている文字、記号、図形等のフォントデータを記憶していて、文字等を特定するコードデータが与えられたときに、対応するフォントデータを出力する。
【００５４】
ＲＡＭ２４０は、電源キー３２１の操作により電源がオフにされても、記憶したデータを保持しておくように図外のバックアップ回路によって電源の供給を受けており、各種レジスタ群２４１や、ユーザがキーボード３から入力した文字等のテキストデータを記憶するテキストデータ領域２４２、表示画面４１の表示画像データを記憶する表示画像データ領域２４３、印刷画像データを記憶する印刷画像データ領域２４４、描画登録画像データを記憶する描画登録画像データ領域２４５の他、印刷履歴データ領域２４６やその他の色変換バッファなどの各種変換バッファ領域２４７などの領域を有し、制御処理のための作業領域として使用される。
【００５５】
Ｐ−ＣＯＮ２５０には、ＣＰＵ２１の機能を補うとともに周辺回路とのインタフェース信号を取り扱うための論理回路が、ゲートアレイやカスタムＬＳＩなどにより構成されて組み込まれている。例えば、種々の計時を行うタイマ２５１などもＰ−ＣＯＮ２５０内の機能として組み込まれている。このため、Ｐ−ＣＯＮ２５０は、検出部１４の各種センサやキーボード３と接続され、検出部１４からの前述した各種検出信号およびキーボード３からの各種指令や入力データなどをそのままあるいは加工して内部バス２６０に取り込むとともに、ＣＰＵ２１０と連動して、ＣＰＵ２１０等から内部バス２６０に出力されたデータや制御信号を、そのままあるいは加工して駆動部２７０に出力する。
【００５６】
そして、ＣＰＵ２１０は、上記の構成により、ＲＯＭ２２０内の制御プログラムに従って、Ｐ−ＣＯＮ２５０を介して各種検出信号、各種指令、各種データ等を入力し、ＣＧ−ＲＯＭ２３０からのフォントデータ、ＲＡＭ２４０内の各種データ等を処理し、Ｐ−ＣＯＮ２５０を介して駆動部２７０に制御信号を出力することにより、印刷の位置制御や表示画面４１の表示制御等を行うとともに、印刷ヘッド７を制御して所定の印刷条件でテープＴに印刷するなど、テープ印刷装置１全体を制御している。
【００５７】
次に、テープ印刷装置１の制御全体の処理フローについて、図４を参照して説明する。電源オン等により処理が開始すると、同図に示すように、まず、テープ印刷装置１を、前回の電源オフ時の状態に戻すために、退避していた各制御フラグを復旧するなどの初期設定を行い（Ｓ１）、次に、前回の表示画面を初期画面として表示する（Ｓ２）。図４のその後の処理、すなわちキー入力か否かの判断分岐（Ｓ３）および各種割込処理（Ｓ４）は、概念的に示した処理である。実際には、テープ印刷装置１では、初期画面表示（Ｓ２）が終了すると、キー入力割込を許可し、キー入力割込が発生するまでは、そのままの状態を維持し（Ｓ３：Ｎｏ）、何らかのキー入力割込が発生すると（Ｓ３：Ｙｅｓ）、それぞれの割込処理に移行して（Ｓ４）、その割込処理が終了すると、再度、キー入力割込待機状態（Ｓ３：Ｎｏ）となる。
【００５８】
上述のように、テープ印刷装置１では、主な処理を割込処理により行うので、ユーザが任意の時点で印刷キー３２２を押すことにより、印刷キー割込が発生して、各種印刷処理が起動され、印刷画像データ（テキスト印刷データ、当たり印刷データ等）に基づく印刷対象画像（キャラクタ列画像、当たり印刷画像等）の印刷ができる。すなわち、印刷に至るまでの操作手順は、ユーザが任意に選択できる。
【００５９】
以下、所定の条件（所定条件）に、「印刷するキャラクタ列画像の長さ（印刷長）が特定値を越えること」、すなわち「印刷するキャラクタ列画像に対応するテキストデータの長さ（テキスト長）が、テキスト長＞特定値となること」の条件が含まれ、その所定条件が成立したときに「当たり画像」（不如意画像）を印刷する例について説明する。この場合の特定値は、例えばテープ識別センサ１４２の検出結果に基づいて、装着したテープカートリッジＣに収容されたテープＴ（すなわち印刷対象物のテープＴ）のテープ幅が６ｍｍのときには印刷長が４ｃｍ以下でないこと（特定値＝４ｃｍ）、２４ｍｍのときには８ｃｍ以下でないこと（特定値＝８ｃｍ）などと決めれば良い。
【００６０】
また、この他、以下で説明する例の所定条件には乱数発生に基づく条件が含まれる。ここでは、例えば９ディジット（１６進９桁：３６ビット）の数値を乱数として発生させ、９桁全てが偶数であるとか、さらに限定的に所定の複数の数値のうちの１つである、などのときに、条件成立とする。なお、この条件についても、テープ幅に対応して大当たり確率を変化させても良い。例えばテープ幅６ｍｍのときには１／１００００、テープ幅２４ｍｍのときには２／１００００などと決めればよい。
【００６１】
以下、具体例について説明する。例えば図５および図６に示すように、テキスト編集画面を表示した状態（画面Ｄ１０：以下、表示画面４１の画面（表示部）を画面Ｄｘｘとし、単にＤｘｘとして図示し、説明にも用いる。また、カーソルをＫで示す。）で、ユーザにより印刷キー３２２が押されると、印刷キー割込を発生して、印刷処理（Ｓ２０）を起動し、例えばテープカートリッジＣの未装着や印刷対象のキャラクタ列画像に対してテープ幅不足など、テキスト印刷に入るのに支障があるか否か、すなわちテキスト印刷エラーがあるか否かを判別し（Ｓ２１）、エラーがあるときには（Ｓ２１：Ｙｅｓ）、その旨を表示するなどの印刷エラー処理を行って（Ｓ２８）、処理（Ｓ２０）を終了する（Ｓ２９）。
【００６２】
一方、テキスト印刷エラーがないときには（Ｓ２１：Ｎｏ）、印刷の準備中を示す「準備中！」を点滅表示するとともに（Ｄ１１）、ＲＡＭ２４０のテキストデータ領域２４２（図３参照）から既に入力済みの（例えば「あいう」の）テキストデータを読み出し、ＣＧ−ＲＯＭ２３０のフォントデータに基づいて印刷画像データ領域２４４に画像展開する。すなわちキャラクタ列画像（「あいう」）を表現する印刷画像データとして、テキスト印刷データを作成する（Ｓ２２）。そして、次に、印刷中を示す「印刷中！」をネガ強調表示するとともに（Ｄ１２）、そのテキスト印刷データに基づくキャラクタ列画像（「あいう」）をテープカートリッジＣのテープＴに印刷、すなわちテキスト印刷を行う（Ｓ２３）。
【００６３】
テキスト印刷（Ｓ２３）が終了すると、次に、前述した所定条件に含まれる１条件である「テキスト長＞特定値」が成立するか否かを判別する（Ｓ２４）。また、「テキスト長＞特定値」の条件が成立すると（Ｓ２４：Ｙｅｓ）、次に、前述した所定条件に含まれる他の条件（例えば乱数発生に基づく条件）が成立するか否かを、すなわち「大当たり」か否かを判別する（Ｓ２５）。そして、所定条件のうちの何か１条件でも成立しなかったときには、すなわち「大当たり」でないときには（Ｓ２４またはＳ２５：Ｎｏ）、そのまま処理（Ｓ２０）を終了して（Ｓ２９）、元のテキスト編集画面に戻る（Ｄ１３：Ｄ１０と同じ）。
【００６４】
一方、所定条件が成立したとき、すなわち「大当たり」のときには（Ｓ２４、Ｓ２５が共にＹｅｓ）、次に、ＲＯＭ２２０の制御データ領域２２２（図３参照）内に予め用意された「大当り」のテキストデータおよび後述の特殊イラスト等の画像データを読み出し、印刷画像データ領域２４４に画像展開する。すなわち「当たり画像」（不如意画像）を表現する印刷画像データとして、当たり印刷データを作成する（Ｓ２７）。そして、次に、その当たり印刷データに基づく当たり画像をテープＴに印刷、すなわち当たり印刷を行って（Ｓ２７）、処理を終了する。
【００６５】
ただし、上述の図６の処理フローでは、理解を助けるために、当たり印刷のための所定条件の各条件が成立するか否かの判別を、順次、行った（Ｓ２４、Ｓ２５）が、実際には、印刷処理（Ｓ２０）の起動直後に、上述のエラー判別（Ｓ２１）とともに、所定条件が成立するか否かの判別を行い、それぞれ所定のフラグをセットしておいて、各フラグに応じてそれぞれ別の処理フローに従って処理する。例えば、▲１▼エラーがある場合には、印刷エラー処理（Ｓ２８）の後に終了し（Ｓ２９）、▲２▼エラー無し＆所定条件不成立の場合には、テキスト印刷データ作成（Ｓ２２）およびテキスト印刷（Ｓ２３）の後に終了し（Ｓ２９）、▲３▼エラー無し＆所定条件成立の場合には、テキスト印刷データ作成（Ｓ２２）、テキスト印刷（Ｓ２３）、当たり印刷データ作成（Ｓ２６）および当たり印刷（Ｓ２７）の後に終了する（Ｓ２９）。
【００６６】
このため、前述のテキスト編集画面（Ｄ１３）の状態で、ユーザにより印刷キー３２２が押され、印刷キー割込を発生して、印刷処理（Ｓ２０）を起動し、その直後に上述の▲３▼エラー無し＆所定条件成立に相当する場合、すなわち「大当たり」の場合には、まず、その旨を点滅表示し（Ｄ１４）、その所定時間後、印刷の準備中を示す「準備中！」を点滅表示するとともに（Ｄ１１）、テキスト印刷データを作成する。次に、印刷中を示す「印刷中！」をネガ強調表示するとともに（Ｄ１２）、テキスト印刷を行い、それと並行して、当たり印刷データを作成し、テキスト印刷に続いて当たり印刷を行う。そして、それらの印刷が全て終了すると、元のテキスト編集画面に戻る（Ｄ１７：Ｄ１０と同じ）。
【００６７】
上述のように、テープ印刷装置１では、基本的には、任意の入力に基づく任意画像を印刷キー３２２の押下（所定の印刷指示）によりテープ（印刷対象物）に印刷するが、印刷キー３２２の押下（所定の印刷指示）があった場合、任意画像を印刷するとともに、任意指示不可能かつ成立予期不可能な所定条件が成立したときに、任意印刷不可能な当たり画像（不如意画像）を任意画像とともに印刷する。すなわち、印刷キー３２２の押下（所定の印刷指示）があり、かつ、所定条件が成立したときに、任意画像とともに、任意印刷不可能な不如意画像を印刷する。
【００６８】
なお、ここで、「任意画像とともに」とは、所定の印刷指示に対して、任意画像と同時に、あるいは印刷指示後でかつ任意画像印刷前または任意画像印刷後に、の意である。例えば図７に示すように、任意画像として、１行目に「３年２組」、２行目に「鈴木はなこ」のキャラクタ列画像を印刷する場合、それとともに当たり画像の印刷を行うときには、同図（ａ）のように、キャラクタ列画像を先にテキスト印刷し（またはそれをカットして先にキャラクタ列画像ラベルＬＴを作成し）、その後、当たり印刷を行って（またはそれをカットして当たり画像ラベルＬＺを作成して）も良いし、同図（ｂ）に示すようにそれらを逆順で行っても良い。また、テープ幅に余裕がある場合などに、キャラクタ列画像と当たり画像とを行方向に並べて同時に印刷し、それをカットして、キャラクタ列画像ラベルＬＴと当たり画像ラベルＬＺとを同時に作成することもできる。
【００６９】
また、上述の例で「当たり画像」は、本発明でいう「不如意画像」であり、この「当たり画像」を印刷した「当たり画像ラベル」（不如意画像ラベル）を、例えばラベルとしてハガキに貼って応募したり、あるいは販売店等で直接、景品等（商品やある種のサービス（役務）など）に交換したりなど、１種のサービス券等として使用する使い方が考えられる。また、テープ印刷装置１では、当たり画像（不如意画像）を印刷後にその印刷部分を切り離せるので、当たり画像（不如意画像）を印刷した当たり画像ラベル（不如意画像ラベル）を容易に作成できる。このため、その当たり画像ラベル（不如意画像ラベル）をハガキ等に貼って景品等との交換のために応募するなど、サービス券等のように使用し易い。
【００７０】
ここで、「不如意画像」とは、無作為に（偶発的に）あるいは不確実に印刷される画像であり、ユーザが印刷の可能性さえ知らない画像、またはその可能性は知っていても実際に印刷されるか否か予期できない画像であり、すなわち、ユーザの思い通りには印刷できない画像である。このことから、任意印刷が不可能であり、また、任意印刷の代わりに、印刷のための所定条件を任意に指示して成立させることも不可能であり、また、その所定条件成立が予期できない画像である。具体的に上述の例では、所定条件には、乱数発生に基づく条件が含まれる。このため、この所定条件は、無作為で任意指示不可能かつ成立予期不可能な所定条件となる。
【００７１】
そして、この場合、不如意画像が印刷されるか否かに拘わらず、当初の印刷目的である任意画像は、予定通り印刷される。このため、ユーザは、所定の印刷指示により所望の任意画像を印刷できるとともに、不如意画像が印刷されたときには、そのような印刷の可能性を知らなければもちろんのこと、知っていても予測できないので、意外な印刷結果に驚くことになり、また、可能性を知っていれば楽しみの一つとなり、また、印刷されること自体が意外なので、話題とも成りやすい。したがって、このテープ印刷装置１では、個人レベルで行う印刷に、娯楽性とそれによる話題性を付加することができる。なお、不如意画像を印刷しているときに、ユーザが異常と思って印刷を止めないように、例えば上記の当たり印刷の間、「大当り中  止めないで」などのメッセージを表示したり、当たり印刷のときには、印刷中断ができない仕様にするなどの工夫もできる。
【００７２】
また、テープ印刷装置１では、テープＴをテープカートリッジＣに収容して装着する。このため、印刷対象物として所定量のテープＴ（印刷対象物）を装着することになる。そして、このような場合、不如意画像を印刷するための所定条件に、その印刷のときの消費量、それまでの累積消費量、その印刷後の残量等を含めても良い。例えば上述の例における「テキスト長＞特定値」の条件は、印刷のときの消費量を条件とする１例である。このように、消費量や残量の情報を所定条件に含めることにより、所定条件の成立確率を増減させることが可能になり、娯楽性や話題性を操作し易くなり、ひいては、印刷対象物の販売促進等を図ることも可能になる。
【００７３】
また、この場合、不如意画像には、上記の消費量や残量の情報を表現した画像が含まれることが好ましい。これにより、不如意画像は、任意画像としての作成がさらに困難な画像となる。また、サービス券等として使用する場合、販売店等でその消費量または残量の情報を読み取れれば、不正な作成（偽造等）に対するチェック等の対象にすることもできる。
【００７４】
なお、上記のことも含め、当たり画像（不如意画像）は、任意画像として作成が困難または不可能な画像であることが好ましい。すなわち、任意には作成困難なので、不如意画像の希少価値が高まるとともに、偽造等も困難になるので、その印刷部分をサービス券等のように使用し易くなり、個人レベルで行う印刷に、さらに娯楽性と話題性を向上できる。
【００７５】
この場合、当たり画像（不如意画像）とともに印刷する任意画像（例えば図７で前述の「３年２組  鈴木はなこ」のキャラクタ列画像）の情報を一定のルールで暗号化した暗号化コードに基づく数値情報を表現した画像（図示の例ではチェックサムを含む１６進１０桁「４Ｅ３５９８０７ＥＤ」の画像）を、当たり画像に含めることが考えられる。例えば図８（ａ）に示すように、当たり画像（不如意画像）ラベルＬＺａの一部に任意画像に関する数値情報を表現した画像（図示の例ではチェックサムを含む１６進１０桁「４Ｅ３５９８０７ＥＤ」の画像）を含める。
【００７６】
なお、テープ印刷装置１として、装置個々に異なる固有コード（ユーザには知られない固有コード）を、ＲＯＭ２２０等に記憶させておき、その固有コードに基づく数値情報を表現した画像としても良い。いずれにしても、これらの暗号化コードや固有コードはユーザから見て思うようにならないコード（不如意コード）なので、これらの不如意コードに基づく数値情報を表現した画像を、当たり画像（不如意画像）に含めることで、任意画像として作成（偽造等）が困難または不可能な不如意画像となる。
【００７７】
また、この場合、上述の例のように、不如意コードには、所定のチェック方式によりチェック可能なチェックコードが含まれることが好ましい。これにより、不如意画像の任意画像としての作成（偽造等）がさらに困難になるばかりでなく、それが検出可能になるので、サービス券等のように使用する際に、販売店等においてチェックすることが可能になる。なお、この場合のチェック方式としては、上述のチェックサム方式の他、偶数／奇数パリティチェック方式、モジュロ３チェック方式、一致チェック方式（例えば線対称・点対称の２ビットが相互に一致するなど）等のチェック方式を採用できる。
【００７８】
また、数値情報には、発生した乱数の数値を示す情報を含ませても良い。この場合、乱数なので、不如意画像は、任意画像としての作成がさらに困難な画像となる。また、この場合の乱数として、個別の乱数を発生させるようにしても良いが、前述の所定条件の１条件としての乱数を用いて、数値情報中の乱数部分が前述の乱数に対する条件を満たすか否かなど、チェック対象とすることもできる。
【００７９】
また、サービス券等として利用する際の利便性を考え、図８（ｂ）に示すように、数値情報をバーコード化し、それを印刷した当たり画像ラベルＬＺｂとして作成すれば、販売店等で読み取りやすく、また、それにチェックサムが含まれていれば、読み込んだ情報に基づいて自動的に真偽判定をすることもできる。また、任意画像としての作成が困難な画像としては、図８（ｃ）に示すように、通常の操作では印刷できない絵文字、記号などの特殊イラストを利用し、それを印刷した当たり画像ラベルＬＺｃとして作成するようにしても良い。
【００８０】
また、この種のサービス券等としての利用性を考えた場合、例えば図９に示すように、当たり画像ラベルを複数枚集めさせるようにしても良い。この場合、複数枚で１組なので、１枚当たりの大当たり確率を少し高めにして、認知を高めることもできる。また、複数枚集めさせる場合でも、同図（ａ）のように同種の当たり画像ラベルＬＣを複数枚（ここでは５枚）集めさせるようにしても良いし、同図（ｃ）の当たり画像ラベルＬＵ、ＬＭ、ＬＬのように、それぞれ別種のものを複数枚（ここでは３枚）組み合わせて集めさせるようにしても良い。また、後者の場合、例えばテープ幅６ｍｍのときには、３枚の組により、図示のように完成させる一方、例えばテープ幅２４ｍｍのときには１枚で完成する、などのように、印刷するテープ幅に合わせて、変化を持たせるようにしても良い。もちろん、その他にも、本発明の要旨を逸脱しない範囲で、適宜変更も可能である。
【００８１】
【発明の効果】
上述のように、本発明の印刷装置によれば、個人レベルで行う印刷に、娯楽性とそれによる話題性を付加できる、などの効果がある。
【図面の簡単な説明】
【図１】本発明の一実施形態に係る印刷方法およびその装置ならびにラベル作成方法およびその装置を適用したテープ印刷装置の外観斜視図である。
【図２】図１のテープ印刷装置に対応する開蓋状態の外観斜視図である。
【図３】図１のテープ印刷装置の制御系のブロック図である。
【図４】図１のテープ印刷装置の制御全体の概念的処理を示すフローチャートである。
【図５】テキスト印刷および当たり印刷のときの表示画面およびその表示画面上での操作の一例を示す説明図である。
【図６】印刷処理の一例を示すフローチャートである。
【図７】テキスト印刷により印刷されるキャラクタ列画像およびそれにより作成されるキャラクタ列画像ラベル並びに当たり印刷により印刷される当たり画像およびそれにより作成される当たり画像ラベルの一例を示す説明図である。
【図８】任意画像として作成困難な当たり画像ラベルの一例を示す説明図である。
【図９】当たり画像ラベルをサービス券等のように使用するときの一形態の例を示す説明図である。
【符号の説明】
１      テープ印刷装置
３      キーボード
４      ディスプレイ
７      印刷ヘッド
１１    操作部
１２    印刷部
１３    切断部
１４    検出部
３１    文字キー群
３２    機能キー群
４１    表示画面
１４１  テープ識別センサ
２００  制御部
２１０  ＣＰＵ
２２０  ＲＯＭ
２３０  ＣＧ−ＲＯＭ
２４０  ＲＡＭ
２４１  各種レジスタ群
２４２  テキストデータ領域
２４３  表示画像データ領域
２４４  印刷画像データ領域
２７０  駆動部
Ｃ      テープカートリッジ
ＬＴ    キャラクタ列画像ラベル
ＬＺ、ＬＺａ〜ＬＺｃ、ＬＣ、ＬＵ、ＬＭ、ＬＬ  ……  当たり画像ラベル
Ｒ      インクリボン
Ｔ      テープ
【図１】
0003755376.tif 000002
【図２】
0003755376.tif 000003
【図３】
0003755376.tif 000004
【図４】
0003755376.tif 000005
【図５】
0003755376.tif 000006
【図６】
0003755376.tif 000007
【図７】
0003755376.tif 000008
【図８】
0003755376.tif 000009
【図９】
0003755376.tif 000010